(57)【要約】【課題】必要な場合に戸体の閉鎖を早くすることが可能なドアクローザを備える開口部装置を提供することを課題とする。【解決手段】建物開口部に沿って設けられる枠体２、３、４と、該枠体内に開閉可能に配置される戸体５と、戸体の少なくとも閉鎖の動作時に該戸体の移動又は回動に対して閉鎖速度を抑制するドアクローザ１０、１１０、１６０と、を備える開口部装置１、１０１、１５１であって、ドアクローザは、戸体の閉鎖速度を抑制可能とする速度調節機構を有する本体１１と、本体の速度調節機構に連動可能に具備される伝達部材２１、３１、３５、７１、１２１、１７１と、を備え、伝達部材には、戸体の所定の操作により、戸体の閉鎖速度を上げることを可能とする手段が設けられていることを特徴とする。【選択図】図４
2009215805.tif 000002
【特許請求の範囲】
【請求項１】
建物開口部に沿って設けられる枠体と、該枠体内に開閉可能に配置される戸体と、前記戸体の少なくとも閉鎖の動作時に該戸体の移動又は回動に対して閉鎖速度を抑制するドアクローザと、を備える開口部装置であって、
前記ドアクローザは、前記戸体の閉鎖速度を抑制可能とする速度調節機構を有する本体と、
前記本体の前記速度調節機構に連動可能に具備される伝達部材と、を備え、
前記伝達部材には、前記戸体の所定の操作により、前記戸体の閉鎖速度を上げることを可能とする手段が設けられていることを特徴とする開口部装置。
【請求項２】
前記伝達部材は、前記速度調節機構に取り付けられ、１又は２以上の部材により構成される棒状であるアームを備え、
前記アームは、通常時には前記アームの全部が前記速度調節機構に連動し、前記戸体の所定の操作時には前記アームの少なくとも一部において前記連動が解除されることにより、前記戸体の閉鎖速度を上げることが可能となる請求項１に記載の開口部装置。
【発明の詳細な説明】
【技術分野】
【０００１】
本発明は、ドアクローザを備える開口部装置に関し、詳しくは、通常の戸体閉鎖時には該戸体の閉鎖速度が抑制され、戸体の閉鎖を素早く完了させたいときには該戸体の閉鎖速度を上げることができるドアクローザを備える開口部装置に関する。
【背景技術】
【０００２】
人が出入りする建物開口部に配置される開口部装置には、ドアクローザが備えられる場合が多い。ドアクローザは、開口部装置の戸体の開閉に際し、急激な戸体の移動や回動を抑制する役割を有する。これにより戸体を緩やかに閉鎖又は開放させることができ、例えば閉鎖時の音を小さく抑える等することができる。
【０００３】
ドアクローザを備えた開口部装置については、従来においていくつかの付加的な機能が提案され、これにより利便性が向上されている。例えば特許文献１に開示されたドアクローザのストップ機構では、ドアクローザによるストップ機構を備える。また、特許文献２には、ドアクローザ本体の作動油の粘性が変化した場合でも調整弁を調整することなくドアクローザの閉扉時間が変わらない発明が開示されている。
【特許文献１】特開２００７−２８４９８３号公報
【特許文献２】特開平１０−１３１６０４号公報
【発明の開示】
【発明が解決しようとする課題】
【０００４】
しかしながら、ドアクローザを備える開口部装置には上記のような利点がある一方、戸体の閉鎖を素早く完了させたい場合にそれを妨げてしまうという問題があった。これには例えば、寒冷地において、できるだけ戸体が開いている時間を減らしたいという生活環境からの観点や、帰宅時に戸体をできるだけ素早く閉鎖したいという防犯上の観点等を挙げることができる。
【０００５】
そこで本発明はこれら問題点に鑑み、必要な場合に戸体の閉鎖を早くすることが可能なドアクローザを備える開口部装置を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、建物開口部に沿って設けられる枠体（２、３、４）と、該枠体内に開閉可能に配置される戸体（５）と、戸体の少なくとも閉鎖の動作時に該戸体の移動又は回動に対して閉鎖速度を抑制するドアクローザ（１０、１１０、１６０）と、を備える開口部装置（１、１０１、１５１）であって、ドアクローザは、戸体の閉鎖速度を抑制可能とする速度調節機構を有する本体（１１）と、本体の速度調節機構に連動可能に具備される伝達部材（２１、３１、３５、７１、１２１、１７１）と、を備え、伝達部材には、戸体の所定の操作により、戸体の閉鎖速度を上げることを可能とする手段が設けられていることを特徴とする開口部装置を提供することにより前記課題を解決する。
【０００８】
請求項２に記載の発明は、請求項１に記載の開口部装置（１、１０１、１５１）の伝達部材（２１、３１、３５、７１、１２１、１７１）は、速度調節機構に取り付けられ、１又は２以上の部材により構成される棒状であるアーム（２１、７１、１２１、１７１）を備え、アームは、通常時にはアームの全部が速度調節機構に連動し、戸体の所定の操作時にはアームの少なくとも一部において連動が解除されることにより、戸体の閉鎖速度を上げることが可能となることを特徴とする。
【発明の効果】
【０００９】
本発明によれば、必要な場合に戸体の閉鎖を早くすることが可能なドアクローザを備える開口部装置を提供することができる。
【００１０】
本発明のこのような作用及び利得は、次に説明する発明を実施するための最良の形態から明らかにされる。
【発明を実施するための最良の形態】
【００１１】
以下、本発明を図面に示す実施形態に基づき説明する。
【００１２】
図１、図２は、第一実施形態に係る本発明の開口部装置１が備えられた建物開口部の斜視図である。いずれの図もドアクローザ１０が取り付けられた側から見た図で、図１は戸体５が閉鎖された姿勢、図２は戸体５が開放された姿勢の図である。以下、図１、図２及び適宜示す図を参照しつつ開口部装置１について説明する。
【００１３】
開口部装置１は、縦枠２、３、横枠４、戸体５、把手６、及びドアクローザ１０を備えている。縦枠２、３及び横枠４は、図１、図２にＷ、Ｗで示した建物の壁に設けられた開口部の縁に沿って配置される枠材である。戸体５は、縦枠２、３及び横枠４により形成された枠体の内側に配置され、そのうちの１辺が縦枠２と不図示の蝶番により連結されている。これにより戸体５は蝶番が備えられた１辺を軸として回動させることができ、いわゆるスイング式に開閉可能な開口部装置１となる。戸体５の蝶番が取り付けられた側とは反対側の端部には把手６が取り付けられている。使用者は当該把手６を室内外方向に押し引きすることにより戸体５の回動をさせることができる。
【００１４】
ドアクローザ１０は、戸体５が回動する側とは反対側の戸体５の面と横枠４とを連結するように配置される装置である。図３にドアクローザ１０の分解斜視図を示した。図３からわかるように、ドアクローザ１０は、本体１１、及び伝達手段としてのアーム２１、ロッド３１、並びに枠固定部材３５を備えている。
【００１５】
本体１１は、その内側に速度調節機構を内蔵している。当該機構は通常のドアクローザに用いられるものと同様である。該機構からはこれに連動し、外に露出した角柱状の回転軸１２が設けられている。回転軸１２は図３にＡで示したように回動可能であり、該回動と速度調節機構とが互いに連動して動作する。
【００１６】
伝達部材としてのアーム２１は、棒状の部材でその両端部に貫通孔である本体側孔２２及びロッド側孔２８を備えている。図４にアーム２１の平面図を示した。また、図５には本体側孔２２が備えられる部分を拡大して示した。図４、図５からわかるように、本体側孔２２は、その一部を破線で示したように矩形の角孔部２３、及び該角孔部２３の各辺から角孔部２３を拡張するように設けられる空転部２４、２４、２４、２４を備えている。角孔部２３は、本体１１の回転軸１２の角柱がその内側に挿入可能であるとともに、回転軸１２が大きく空転しない大きさ及び形状とされている。また、空転部２４、２４、２４、２４は、角孔部２３の各辺において、その一方側略半分に設けられ、辺の中央で角孔部２３が大きく拡張され、辺の端部側に向けて角孔部２３の拡張が小さくなるように傾斜している。従って空転部２４、２４、２４、２４は略三角形である。詳しくは、図５に三角形ＢＣＤで示した形状であり、最も拡張された頂点Ｃの部分は、図５に示したように角孔部２３の辺をＬ１とＬ２とに分けるような位置に配置され、頂点Ｄが角孔部２３の辺の端部に一致する。Ｌ１、Ｌ２の大きさは、後述する空転に適した大きさが適宜設定される。また、頂点Ｂは角孔部２３の辺のＤとは反対側の端部寄りに配置され、これにより辺ＣＢは、角孔部２３の辺の垂線に対してθの角度で傾斜している。当該θは、後述するように、ここに回転軸１２の側面が接触したときに、辺ＣＢと回転軸１２の側面とが面で（平面図上は線で）接触するように設定されている。
【００１７】
空転部２４、２４、２４、２４の各部の寸法や角度は、どの程度の空転を許容するかにより自由に設定することが可能である。また、本実施形態では、辺ＣＤは直線であるが、ここが円弧状であってもよい。かかる本体側孔２２により、必要に応じて戸体５の閉鎖を早く行うことができる。その動作については後で詳しく説明する。
ロッド側孔２８は円形状の孔である。本体側孔２２及びロッド側孔２８の孔の貫通方向は同じである。
【００１８】
伝達部材としてのロッド３１も、図３からわかるように棒状の部材で、その両端部に同方向に貫通した円形の貫通孔であるアーム側孔３２及び枠固定部材側孔３３を備えている。また、枠固定部材３５も伝達部材として機能し、図３からわかるように板状の部材でその一端部に板厚方向に貫通する孔３６を有している。
【００１９】
以上のような構成部材を備えるドアクローザ１０は、次に説明するように各構成部材が組み合わせられるとともに、戸体５及び横枠４（図１、図２参照）に取り付けられる。
【００２０】
本体１１は戸体５の一方の面の上部で、蝶番が備えられる側の端部に固定される（図１、図２参照）。ここで、当該戸体５の一方の面とは、該戸体５が回動する側とは反対側の戸体５の面である。このとき、回転軸１２が上方に突出するように配置される。
【００２１】
アーム２１は、本体１１の回転軸１２を本体側孔２２の角孔部２３に差し込むように配置する（図６（ａ）参照）。そして図３に示した固定部材２５ａ、２５ｂによりアーム２１を回転軸１２に固定する。この時、アーム２１の回転軸１２への固定は、後述するように、通常に戸体５を閉鎖する際には回転軸１２とアーム２１とは互いに追随して回動するように調整される。そして早急な戸体５の閉鎖に対しては、回転軸１２が空転部２４、２４、２４、２４内を空転することができるようにしておく。詳しくは後で説明する。
【００２２】
アーム２１とロッド３１とは、ロッド側孔２８及びアーム側孔３２が上下方向に同軸とされて、該ロッド側孔２８とアーム側孔３２とに不図示の固定部材を通すことにより連結される。このときアーム２１とロッド３１とが互いに連結部を中心に回動可能となるように連結される。回動可能となるような連結手段は通常のドアクローザと同様の手段を用いることができる。
【００２３】
ロッド３１と枠固定部材３５とは、枠固定部材側孔３３及び孔３６が上下方向に同軸とされて、該枠固定部材側孔３３と孔３６とに不図示の固定部材を通すことにより連結される。このときロッド３１は、枠固定部材３５との連結部を中心に回動可能となるように連結される。回動可能となるような連結手段は通常のドアクローザと同様の手段を用いることができる。
【００２４】
枠固定部材３５は上記のように孔３６が上下方向に貫通する向きとされた姿勢で、その一部が横枠４に固定される（図１、図２参照）。
【００２５】
以上のようなドアクローザ１０を備えた開口部装置１により、戸体５が開放された姿勢からこれを閉鎖させるときに、通常時には戸体５の閉鎖動作は緩やかにおこなわれ、早急な戸体５の閉鎖をしたい時には早急な閉鎖をさせることが可能となる。詳しくは次の通りである。
【００２６】
図６、図７は、アーム２１の本体側孔２２と本体１１の回転軸１２との関係を説明するための図である。図６が通常の戸体５の閉鎖、図７が早急な戸体５の閉鎖を説明するための図である。
図６（ａ）に示したように、戸体５の開放の姿勢（図２参照）で、回転軸１２は本体側孔２２のうち角孔部２３にのみ配置されている。図６（ａ）の姿勢から通常に（例えば自然に）戸体５を閉鎖させたときには、上記したように図３に示した固定部材２５ａ、２５ｂによる固定する力（例えば摩擦力）により、アーム２１と回転軸１２とは連動する。従って、図６（ｂ）に示すように、回転軸１２とアーム２１とは連動し、ドアクローザ１０の速度調整機構による戸体５の閉鎖速度の抑制が行われ、緩やかな戸体５の閉鎖が可能となる。
【００２７】
一方、図７（ａ）に示したように（図６（ａ）で示した姿勢と同じ）、戸体５の開放の姿勢で回転軸１２は本体側孔２２のうち角孔部２３にのみ配置されている。図７（ａ）の姿勢から、急速に戸体５を閉鎖させたとき（すなわち使用者が戸体５の早急な閉鎖を望んだとき）には、上記した固定部材２５ａ、２５ｂによる固定する力（例えば摩擦力）よりも戸体５を閉鎖させる力が大きくなり、図７（ｂ）に示したように回転軸１２が空転部２４、２４、２４、２４内を空転する。これにより空転時には本体１１とアーム２１との連動が解除されるので、戸体５の閉鎖は、本体１１の速度調整機構の影響を受けることなく、早急な戸体５の閉鎖が可能となる。
【００２８】
このとき、図７（ｂ）からわかるように、回転軸１２の側面の一部は、空転部２４、２４、２４、２４のうち図５にＣＢで示した部分に面で接触する。これにより接触部分に大きな負担がかかることを防止することができる。
【００２９】
閉鎖後、回転軸１２は、ドアクローザ本体１１の作用により図７（ａ）と同様の姿勢に戻る。一方、戸体５の閉鎖から開放の動作をするときには、回転軸１２は角孔部２３の辺のうち、空転部２４、２４、２４、２４が備えられない側に引っ掛かるので、回転軸１２とアーム２１とは常に連動する。
【００３０】
以上のような開口部装置１により、必要な場合に戸体を素早く閉鎖することが可能なドアクローザを備える開口部装置を提供することができる。
【００３１】
ここで、ドアクローザにおけるアームの空転部の形状は、回転軸の形状によって適宜変更することができる。すなわち上記の趣旨に基づいて回転軸が空転することができる領域を設けることができればいずれの形状であってもよい。図８は変形例にかかるドアクローザのうちアーム２１’の本体側孔２２’について説明するための図である。本体側孔２２’では、角孔部２３’を拡張するように設けられた空転部２４’、２４’、２４’、２４’の形状が上記本体側孔２２と異なり、図５に示したθに相当する角度が０度である場合である。かかる場合であっても戸体を急速に閉鎖した時には回転軸が空転部２４’、２４’、２４’、２４’内を空転することができ、上記効果を奏するものとなる。
【００３２】
図９は、第二実施形態にかかる本発明の開口部装置に用いられるクローザのうちアーム７１のみを示した図である。アーム７１以外の構成については上記第一実施形態に係る開口部装置１と共通するのでここでは説明を省略する。
【００３３】
アーム７１は、第一アーム７２及び第二アーム７３を有し、該２つのアームがアーム回動軸７６によって互いに回動可能に軸着されている。回動軸７６の軸方向は第一アーム７２に備えられる本体側孔７４及び第二アーム７３に備えられるロッド側孔７５の貫通方向と同じである。
本体側孔７４は、本体１１の回転軸１２（図３参照）に対応した形状とされており、第一実施形態で示した本体側孔２２のように空転部２４、２４、２４、２４が設けられていない。従って、第一アーム７２と本体１１の回転軸１２とは常に連動する。一方、ロッド側孔７５は、第一実施形態で示したロッド側孔２８と形状が同じであり、ロッド３１への取り付けも同じである。
【００３４】
第一アーム７２と第二アーム７３とは上記の通りアーム回動軸７６により回動可能に連結されているが、該回動は、所定の力がかかることにより初めて第一アーム７２と第二アーム７３との回動が許容されるように調整されている。すなわち図９(ａ)に示した姿勢のアーム７１に所定以上の力が加わると図９（ｂ）に示した姿勢となる。
【００３５】
このようなアーム７１を備えたドアクローザを具備する第二実施形態にかかる開口部装置は、次のような動作をすることにより、必要に応じて戸体５の閉鎖を早急におこなうことができる。すなわち、戸体５（図２参照）の開放の姿勢で、アーム７１は図９（ａ）の状態にある。かかる状態から通常に（例えば自然に）戸体５を閉鎖させたときには、第一アーム７２と第二アーム７３とは、図９（ａ）に示した姿勢を維持してアーム７１が全体として本体１１の回転軸１２に追随する。従って、本体１１の速度調整機構による戸体５の閉鎖速度の抑制が行われ、戸体５は緩やかに閉鎖される。
【００３６】
一方、同様に戸体５の開放の姿勢で、アーム７１が図９（ａ）の状態にあるときから、急速に戸体５を閉鎖させた場合（すなわち使用者が戸体５の早急な閉鎖を望んだとき）には、第一アーム７２と第二アーム７３とが回動する所定の力を超え、図９（ｂ）に示した状態となる。このときには、戸体５は本体１１の速度調整機構の影響を受けず、素早く戸体５を閉鎖させることが可能となる。
【００３７】
このように閉鎖されたあとは、例えば本体１１に備えられた弾性部材による戻り機構等により、アーム７１は、一定時間の経過後に図９（ａ）に示した姿勢に戻ることができる。
【００３８】
図１０、図１１は、第三実施形態に係る本発明の開口部装置１０１を説明するための図である。図１０は、開口部装置１０１に用いられるドアクローザ１１０のうちアーム１２１のみを示した図である。図１１は開口部装置１０１の動作を説明するための図である。開口部装置１０１では、アーム１２１以外の構成については上記第一実施形態に係る開口部装置１と共通するのでここでは説明を省略するとともに図１１では図３と同じ符号を付する。
【００３９】
アーム１２１は、棒状の部材で、その一端側には貫通孔である本体側孔１２２、及び他端側には貫通する長孔であるロッド側孔１２３を備えている。本体側孔１２２及びロッド側孔１２３の貫通方向は同じである。
本体側孔１２２は、本体１１の回転軸１２（図３、図１１参照）に対応した形状とされており、第一実施形態で示した本体側孔２２のように空転部２４、２４、２４、２４は設けられていない。従って、アーム１２１と本体１１の回転軸１２とは常に連動する。
【００４０】
一方、ロッド側孔１２３は、アーム１２１の長手方向を長軸とする長孔である。またその内側には長孔の短軸方向幅を狭めるように突出した突起１２４が設けられている。突起１２４は通常は図１０に示したようにロッド側孔１２３内に突出しているが、所定の押圧力を受けることにより図１０にＥで示した方向に移動可能とされている。従って、突起１２４が所定の押圧力を受けたときには、それまで狭められていたロッド側孔１２３の幅が、該押圧力が除荷されるまで広げられる。
【００４１】
次に、かかるアーム１２１を備えるドアクローザ１１０を具備する開口部装置１０１の動作を図１０、図１１を参照しつつ説明する。図１１（ａ）からわかるように、アーム１２１の本体１１側端部は、本体側孔１２２に回転軸１２が挿入されて連結される。一方、アーム１２１のロッド３１側端部は、ロッド側孔１２３内を貫通し、ロッド３１のアーム側孔３２（図３参照）に取り付けられる固定部材１２５によりロッド３１に回動可能に連結される。
このとき、固定部材１２５はロッド側孔１２３内側のうち突起１２４が備えられる部分より本体側孔１２２から離隔する側の端部に配置される。そして、当該固定部材１２５は、ロッド側孔１２３内を該ロッド側孔１２３の長手方向にスライド式に移動可能ではあるが、突起１２４により幅が狭められた部分は通り抜けることができないように形成されている。
【００４２】
図１１（ａ）に示した戸体５の開放の姿勢から、戸体５を通常に（例えば自然に）を閉鎖させたときには、固定部材１２５の位置は図１１（ａ）に示された位置を維持しつつ、図１１（ｂ）にＧで示した矢印の方向にアーム１２１が回動する。ここで、図１１（ｂ）は図１１（ａ）にＦで示した部分を拡大した図である。これによれば、本体１１の速度調整機構による戸体５の閉鎖速度の抑制が行われ、戸体５は緩やかに閉鎖される。
【００４３】
一方、図１１（ａ）に示した戸体５の開放の姿勢から、戸体５を急速に閉鎖させた場合（すなわち使用者が戸体５の早急な閉鎖を望んだとき）には、アーム１２１が図１１（ｂ）にＨで示した矢印の方向に力強く移動する。これにより固定部材１２５が突起１２４を押圧し、その押圧力により突起１２４が図１０にＥで示した方向に移動する。従って、固定部材１２５が突起１２４を乗り越えるようにしてアーム１２１が矢印Ｈの方向に移動することができる。このときには、戸体５は本体１１の速度調整機構の影響を受けず、素早く戸体５を閉鎖させることが可能となる。
【００４４】
このように閉鎖された後は、例えば本体１１に備えられた弾性部材による戻り機構等により、固定部材１２５は、一定時間の経過後に最初の位置であるロッド側孔１２３内側のうち突起１２４が備えられる部分より本体側孔１２２から離隔する側の端部に戻ることができる。
【００４５】
図１２、図１３は、第四実施形態に係る本発明の開口部装置１５１を説明するための図である。図１２は、開口部装置１５１に用いられるドアクローザ１６０のうちアーム１７１のみを示した図である。図１３は開口部装置１５１の動作を説明するための図である。開口部装置１５１では、アーム１７１以外の構成については上記第一実施形態に係る開口部装置１と共通するのでここでは説明を省略するとともに図１３では図３と同じ符号を付す。
【００４６】
アーム１７１は、全体として棒状の部材であり、第一アーム１７２及び第二アーム１７３を有し、第二アーム１７３が第一アーム１７２に入れ子式に連結されている。当該入れ子式の連結は弾性部材１７６を介しており、図１２（ａ）と図１２（ｂ）からわかるように、アーム１７１に所定の力を負荷することにより、その長手方向に付勢されつつ伸縮させることが可能である。
【００４７】
第一アーム１７２の入れ子式とされた側とは反対側の端部には貫通孔である本体側孔１７４が設けられ、第二アーム１７３の入れ子式とされた側とは反対側の端部にも貫通孔であるロッド側孔１７５がそれぞれ設けられている。これらの孔の貫通方向は同じである。
本体側孔１７４は、本体１１の回転軸１２（図３、図１３参照）に対応した形状とされており、第一実施形態で示した本体側孔２２のように空転部２４、２４、２４、２４は設けられていない。従って、第一アーム１７２と本体１１の回転軸１２とは常に連動する。一方、ロッド側孔１７５は、第一実施形態で示したロッド側孔２８と同じであり、ロッド３１への取り付けも同じである。
【００４８】
かかるアーム１７１を備えるドアクローザ１６０を具備する開口部装置１５１は次のように動作する。図１２、図１３を参照しつつ説明する。図１３からわかるように、アーム１７１の本体１１側端部は、本体側孔１７４に回転軸１２が挿入されて連結される。一方、アーム１７１のロッド３１側端部は、ロッド３１のアーム１７１側端部と固定部材１７８により回動可能に連結される（図１３参照）。
【００４９】
図１３に示した戸体５の開放の姿勢から、戸体５を通常に（例えば自然に）閉鎖させたときには、アーム１７１は弾性部材１７６の弾性力により縮むことなく通常の長さを維持して戸体５の閉鎖がおこなわれる。これによれば、本体１１の速度調整機構による戸体５の閉鎖速度の抑制が行われ、戸体５は緩やかに閉鎖される。
【００５０】
一方、図１３に示した戸体５の開放の姿勢から、戸体５を急速に閉鎖させた場合（すなわち使用者が戸体５の早急な閉鎖を望んだとき）には、アーム１７１が図１２（ｂ）に示したように、弾性部材１７６の弾性力に抗して縮む。このときには、戸体５は本体１１の速度調整機構の影響を受けず、素早く戸体５を閉鎖させることが可能となる。
【００５１】
このように閉鎖されたあとは、弾性部材１７６の弾性力により、アーム１７１は、図１２（ａ）に示した姿勢に戻ることができる。
【００５２】
以上のような開口部装置により、必要な場合に戸体を早急に閉鎖することが可能なドアクローザを備える開口部装置を提供することができる。
【００５３】
以上、現時点において、もっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うドアクローザを備える開口部装置もまた本発明の技術的範囲に包含されるものとして理解されなければならない。
【図面の簡単な説明】
【００５４】
【図１】第一実施形態に係る本発明の開口部装置の斜視図である。
【図２】図１に示した開口部装置において戸体が開放された図である。
【図３】ドアクローザの分解斜視図である。
【図４】アームの平面図である。
【図５】角孔部を拡大して示した図である。
【図６】ドアクローザの動作を説明するための図である。
【図７】ドアクローザの動作を説明するための図である。
【図８】変形例に係る角孔部を拡大して示した図である。
【図９】第二実施形態に係る本発明の開口部装置に備えられるドアクローザのアームの平面図である。
【図１０】第三実施形態に係る本発明の開口部装置に備えられるドアクローザのアームの平面図である。
【図１１】第三実施形態に係る本発明の開口部装置の動作を説明するための図である。
【図１２】第四実施形態に係る本発明の開口部装置に備えられるドアクローザのアームの平面図である。
【図１３】第四実施形態に係る本発明の開口部装置の動作を説明するための図である。
【符号の説明】
【００５５】
１  開口部装置
２  縦枠
３  縦枠
４  横枠
５  戸体
６  把手
１０  ドアクローザ
１１  本体
１２  回転軸
２１  アーム
２２  本体側孔
２３  角孔部
２４  空転部
２５ａ、２５ｂ  固定部材
２８  ロッド側孔
３１  ロッド
３２  アーム側孔
３３  枠固定部材側孔
３５  枠固定部材
３６  孔
７１  アーム
７２  第一アーム
７３  第二アーム
７４  本体側孔
７５  ロッド側孔
７６  アーム回動軸
１０１  開口部装置
１１０  ドアクローザ
１２１  アーム
１２２  本体側孔
１２３  ロッド側孔
１２４  突起
１２５  固定部材
１５１  開口部装置
１６０  ドアクローザ
１７１  アーム
１７２  第一アーム
１７３  第二アーム
１７４  本体側孔
１７５  ロッド側孔
１７６  弾性部材
【図１】
2009215805.tif 000003
【図２】
2009215805.tif 000004
【図３】
2009215805.tif 000005
【図４】
2009215805.tif 000006
【図５】
2009215805.tif 000007
【図６】
2009215805.tif 000008
【図７】
2009215805.tif 000009
【図８】
2009215805.tif 000010
【図９】
2009215805.tif 000011
【図１０】
2009215805.tif 000012
【図１１】
2009215805.tif 000013
【図１２】
2009215805.tif 000014
【図１３】
2009215805.tif 000015